(57)【要約】      （修正有）【課題】脳波データもしくは心拍データを演算解析し、対応する病名を求めることができ、更に関連治療設備の操作データによって、医師がより正確且つスピーディーに病気のタイプを診断するのを助け、医療の品質を高める脳疾患診断補助システムを提供する。【解決手段】脳疾患診断補助システムは、脳波測定装置１１もしくは心拍測定装置１２、解析装置１３及びディスプレイ装置１４を含む。脳波測定装置１１は、信号伝送路を介してユーザーの脳部に接続し、ユーザーの脳波を取得するのに用い、それにより脳波データを生成する。解析装置１３は脳波測定装置１１に信号連接し、取得した脳波データを受信するのに用い、更にノイズを除去した後でそれに基づき演算解析を行う。ディスプレイ装置１４は解析装置１３に信号連接し、演算解析後の結果、脳波データ及び脳波データに対応する病名を表示するのに用いる。【選択図】図１
0003222574.tif 000002
【実用新案登録請求の範囲】
【請求項１】
脳疾患診断補助システムにおいて、
少なくとも一信号伝送路を介してユーザーの脳部に接続され、該ユーザーの脳波を取得して脳波データを生成するのに用いる脳波測定装置と、
該脳波測定装置に信号連接し、取得した脳波データを受信するのに用い、更にノイズを除去した後でそれに基づき演算解析を行う解析装置と、
該解析装置に信号連接し、演算解析後の結果、該脳波データ及び該脳波データに対応する病名を表示するのに用いるディスプレイ装置を含むことを特徴とする脳疾患診断補助システム。
【請求項２】
前記脳疾患診断補助システムは更に心拍測定装置を含み、信号伝送路を介して該ユーザーに接続し、該ユーザーの心拍を取得するのに用い、それに拠って心拍データを生成し、また該心拍測定装置は該解析装置に信号連接し、解析装置が演算解析を行うのに用いることを特徴とする請求項１記載の脳疾患診断補助システム。
【請求項３】
脳疾患診断補助システムにおいて、
少なくとも一信号伝送路を介してユーザーに接続し、該ユーザーの心拍を取得するのに用い、それに拠って心拍データを生成する心拍測定装置と、
該心拍測定装置に信号連接し、その取得した心拍データを受信するのに用い、更にノイズを除去した後でそれに基づき演算解析を行う解析装置と、
該解析装置に信号連接し、演算解析後の結果、該心拍データ及び該心拍データに対応する病名を表示するのに用いるディスプレイ装置を含むことを特徴とする脳疾患診断補助システム。
【請求項４】
前記脳疾患診断補助システムは、更に脳波測定装置を含み、信号伝送路を介して該ユーザーの脳部に接続し、該ユーザーの脳波を取得して脳波データを生成するのに用い、また該脳波測定装置は該解析装置に信号連接し、解析装置が演算解析を行うのに用いることを特徴とする請求項３記載の脳疾患診断補助システム。
【請求項５】
前記解析装置は、更に指定装置の設定パラメータを生成して、該ディスプレイ装置に表示するか、もしくは信号で接続されている該指定装置に直接伝送することを特徴とする請求項１から４のうち任意の一項記載の脳疾患診断補助システム。
【請求項６】
前記解析装置は、取得したデータに独立成分分析及び離散フーリエ変換を実施し、更に該解析装置はデータベースを含み、標準平均データと解析データを記録するのに用いることを特徴とする請求項５記載の脳疾患診断補助システム。
【請求項７】
前記ディスプレイ装置は更に病変が発生したと思われる位置を表示することを特徴とする請求項６記載の脳疾患診断補助システム。
【請求項８】
前記設定パラメータは、設備周波数調整パラメータ、治療時間パラメータと強度パラメータを含むことを特徴とする請求項７記載の脳疾患診断補助システム。
【請求項９】
前記指定装置は、電位治療装置でもよいことを特徴とする請求項８記載の脳疾患診断補助システム。
【考案の詳細な説明】
【技術分野】
【０００１】
本考案は、脳疾患診断補助システムに関し、脳波もしくは心拍を分析して疾患を示す脳疾患診断補助システムに係る。
【背景技術】
【０００２】
中枢神経システムに関係する疾患には炎症（例としてポリオ等）、脳神経退行性疾患（例としてアルツハイマー病、パーキンソン病等）及び発達障害（例として注意欠陥多動性障害、トゥレット障害、自閉症スペクトラム）等を含むが、通常は認知テスト及び神経心理学的評価、脳波、頭部コンピュータ断層スキャン、脳血管エコー検査、脳部PET検査及び全身スキャン等を用い、医師によってその疾患が診断される。
【０００３】
過去の中枢神経システムに関連する疾患を診断する特許に依ると、殆どは患者の眼球の状態を通じて脳神経の疾患を診断している。
【考案の概要】
【考案が解決しようとする課題】
【０００４】
解決しようとする問題点として、中枢神経システムに関係する疾患の診断において、脳波検査が最も一般的であるが、脳波と中枢神経システム疾病の関連研究が進み、更に過去の病歴データとなる脳波データが蓄積するに従い、脳波を分析することに拠って疾患を診断するというシステム化の研究項目が増えるため、測定器によって脳波をシステム診断することで、医師がより正確で迅速に疾病を診断する助けとなり、更に医療の品質を高める必要がある。
【課題を解決するための手段】
【０００５】
本考案は、脳波測定装置(もしくは心拍測定装置)、解析装置及びディスプレイ装置を含む。脳波測定装置は、信号伝送路を介してユーザーの脳部に接続し、ユーザーの脳波を取得するのに用い、それにより脳波データを生成する。解析装置は脳波測定装置に信号連接し、取得した脳波データを受信するのに用い、更にノイズを除去した後でそれに基づき演算解析を行う。ディスプレイ装置は解析装置に信号連接し、演算解析後の結果、脳波データ及び脳波データに対応する病名を表示するのに用いることを最も主要な特徴とする。
【考案の効果】
【０００６】
本考案の脳疾患診断補助システムは、システム解析して疾患を診断するものであり、つまり該解析装置が演算解析を行うことによって脳波データに対応する病名の診断を助け、医師がより正確且つスピーディーに疾患を診断するのを助け、更に医療の品質を高めるという利点がある。
【図面の簡単な説明】
【０００７】
【図１】本考案脳疾患診断補助システムの第一実施例を説明したブロックダイアグラムである。
【考案を実施するための形態】
【０００８】
システム解析脳部に発生している病変状態の位置を診断する脳疾患診断補助システムを提供することを本考案の目的とする。
【０００９】
本考案の脳疾患診断補助システムは、脳波測定装置、解析装置及びディスプレイ装置を含む。該脳波測定装置は少なくとも一信号伝送路を介してユーザーの脳部に接続され、該ユーザーの脳波を取得して脳波データを生成するのに用いる。該解析装置は該脳波測定装置に信号連接し、取得した脳波データを受信するのに用い、更にノイズを除去した後でそれに基づき演算解析を行う。該ディスプレイ装置は該解析装置に信号連接し、演算解析後の結果、該脳波データ及び該脳波データに対応する病名を表示するのに用いる。
【００１０】
本考案の脳疾患診断補助システムは、更に心拍測定装置を含む。信号伝送路を介して該ユーザーに連接し、該ユーザーの心拍を取得するのに用い、それに拠って心拍データを生成する。また該心拍測定装置は該解析装置に信号連接し、解析装置が演算解析を行うのに用いる。
【００１１】
本考案の脳疾患診断補助システムは、心拍測定装置、解析装置及びディスプレイ装置を含む。該心拍測定装置は、少なくとも一信号伝送路を介してユーザーに接続し、該ユーザーの心拍を取得するのに用い、それに拠って心拍データを生成する。該解析装置は、該心拍測定装置に信号連接し、その取得した心拍データを受信するのに用い、更にノイズを除去した後、それをもとに演算解析を行う。該ディスプレイ装置は該解析装置に信号連接し、演算解析後の結果、該心拍データ及び該心拍データに対応する病名を表示するのに用いる。
【００１２】
本考案の脳疾患診断補助システムは、更に脳波測定装置を含み、信号伝送路を介して該ユーザーの脳部に連接し、該ユーザーの脳波を取得して脳波データを生成するのに用いる。また該脳波測定装置は該解析装置に信号連接し、解析装置が演算解析を行うのに用いる。
【００１３】
本考案の脳疾患診断補助システムにおいて、該解析装置は、指定装置の設定パラメータを生成して、該ディスプレイ装置に表示するか、もしくは信号で接続されている該指定装置に直接伝送する。
【００１４】
本考案の脳疾患診断補助システムにおいて、該解析装置係取得したデータを独立成分分析及び離散フーリエ変換を実施し、更に該解析装置はデータベースを含み、標準平均データと解析データを記録するのに用いる。
【００１５】
本考案の脳疾患診断補助システムにおいて、該ディスプレイ装置は更に病変が発生したと思われる位置を表示する。
【００１６】
本考案の脳疾患診断補助システムにおいて、該設定パラメータは設備周波数調整パラメータ、治療時間パラメータと強度パラメータを含む。
【００１７】
本考案の脳疾患診断補助システムにおいて、該指定装置は電位治療装置でもよい。
【実施例】
【００１８】
本考案の前述及びその他技術内容、特徴と効果に関し、以下に図式と共に良好な実施例を挙げて詳細に説明する。
【００１９】
本考案の詳細説明前に注意するべきこととして、以下の説明内容において、類似部品は同じ番号で表示される。
【００２０】
図１に示すとおり、本考案の脳疾患診断補助システム１は、脳波測定装置１１、心拍測定装置１２、解析装置１３、ディスプレイ装置１４及び指定装置１５を含む。
【００２１】
該脳波測定装置１１は、少なくとも一信号伝送路を介してユーザー１００の脳部に接続され、該ユーザー１００の脳波を取得して脳波データを生成するのに用いる。
【００２２】
該心拍測定装置１２は、信号伝送路を介して該ユーザー１００に接続され、該ユーザー１００の心拍を取得して心拍データを生成するのに用いる。
【００２３】
該解析装置１３は該脳波測定装置１１と該心拍測定装置１２に信号連接され、取得した脳波データ及び心拍データを受信するのに用い、ノイズを除去した後、それをもとに演算解析を行う。
【００２４】
該解析装置１３は、取得したデータを独立成分分析（Independent components analysis、略称：ICA）及び離散フーリエ変換（Discrete Fourier Transform、略称：DFT）等演算を行う。更に説明すると、独立成分分析は、統計学で線型変換を行い、各結合データを単独チャンネルデータに離散させるのに用い、即ち離散フーリエ変換はデータを時間領域-周波数領域の変換を行うが、この二種の演算法に制限されない。
【００２５】
更に該解析装置１３はデータベースを含み、病歴データの標準データと記録分析データを保存するのに用いる。
【００２６】
該解析装置１３は、演算に拠って各データ間の相依性を除去し、各脳波データ（alpha波、beta波、delta波等）の主要周波数と強度等情報を分析する。該解析装置１３は異なる周波数別の脳波データの寄与度、例として左脳のalpha波周波数が右脳と比較して強い等の異なる寄与度は、脳部の等高線図によって該ディスプレイ装置１４上に表示される。
【００２７】
該解析装置１３は、分析後のデータと該データベースの標準平均データを照合し、生成されたと思われる中枢神経システムに関係する疾患（例として注意欠陥多動性障害）を分析し、更に病変が発生したと思われる位置、例として一般アジア人の右脳alpha波周波数は１０HZであるが、ユーザー１００の右脳alpha波周波数は8HZである場合、該解析装置１３がこれらに基づいて病変が発生したと思われる位置を解析して該ディスプレイ装置１４上に表示する。
【００２８】
該解析装置１３は、更に指定装置１５の設定パラメータを生成して、該ディスプレイ装置１４に表示するか、もしくは信号で接続されている該指定装置１５に直接伝送する。該指定装置１５は電位治療装置でもよく、共振に依る電磁波、超音波等方式で治療を行う。該設定パラメータは、設備周波数調整パラメータ、治療時間パラメータと強度パラメータ等を含み、医療従事者が該指定装置１５もしくはその他治療測定器のパラメータを設定するのを有効に補助し、医療従事者は、それに拠ってより正確且つ迅速に治療を行うことができ、医療の品質を有効に向上させる。
【００２９】
該ディスプレイ装置１４は、該解析装置１３に信号連接し、演算解析後の結果、該脳波データ、該心拍データもしくは該脳波データが該心拍データと結合(もしくは組立)して対応する中枢神経システムに関係する病名及び該設定パラメータ等々を表示するのに用いる。該ディスプレイ装置１４は更に病変が発生したと思われる位置を表示し、医師が中枢神経システムに関係する疾患をより正確且つよりスピーディに診断し、医療の品質を向上させる。
【００３０】
更に、該ディスプレイ装置１４は解析装置が出力したデータに基づき、該脳波データと該心拍データの原始時刻歴マップ、脳波データと該心拍データフィルタリング（ノイズ除去）後の時刻歴マップ、特定時間波長域、長さ、強度の時刻歴マップ及び特定周波数域の周波数分布図を表示する。これらに拠って、医師もしくはその他スタッフにすべての関連情報を知らせる。
【００３１】
上述のとおり、本考案の脳疾患診断補助システム１の効果として、中枢神経システムもしくは脳部と関連する疾患をシステム解析並びに診断する。つまり該解析装置１３で演算解析を行い、対応する演算によって脳波データもしくは心拍データに対応する中枢神経システムに関係する病名を診断補助する。更に該指定装置１５の設定パラメータを生成し、医師が中枢神経システムに関係する疾患をより正確且つスピーディに診断するのを確実に助け、医療従事者がより正確且つスピーディに対応する該指定装置１５を設定するのを助けて治療を行う。例としてポリオ、自閉症スペクトラム、注意欠陥多動性障害等中枢神経システムに関係する疾患は治療の効率と正確度を上げ、更に医療の品質を高める。
【００３２】
上述に示すのは、本考案の良好な実施例に過ぎず、本考案の請求範囲を制限するものではなく、本考案の請求範囲及び明細書内容に基づく簡単で同効果の変化及び修飾は、すべて本考案の請求範囲に含まれる。
【符号の説明】
【００３３】
１            脳疾患診断補助システム
１１            脳波測定装置
１２            心拍測定装置
１３            解析装置
１３１          データベース
１４            ディスプレイ装置
１５            指定装置
１００          ユーザー
【図１】
0003222574.tif 000003